(57)【要約】      （修正有）【課題】両壁面のどちらの壁にも設置でき、筐体を金型化するため、設置が容易で、生産コストを下げることができるホースリール装置及び筐体との組立品を提供する。【解決手段】ホースリール装置及び筐体との組立品は、筐体１及びホースリール装置２を含む。該筐体１は二つの側壁２０と一つの本体５０を含み、該本体５０の底部は二つの該側壁２０を結合する。更にホースリール装置２は、巻軸ユニット７０とハンドル９０を含み、該巻軸ユニット７０は長さを自在に変更して外す形態で二つの該側壁２０の間に設置される。該ハンドル９０は該巻軸ユニット７０に固定され、二つの該側壁２０のうちの一つは該巻軸ユニット７０と該ハンドル９０の間に位置される。【選択図】図１
0003151226.tif 000002
【実用新案登録請求の範囲】
【請求項１】
一種のホースリール装置において、
両端それぞれが一カバーと一軸部品で、該カバーは該軸部品に被せ、該軸部品は該カバー内で横向きに移動し、ホースはカバーの外周辺縁に巻きつける一巻軸ユニットと、
該巻軸ユニットの両端のうちの一端部に固定し、該ハンドルを回転すると該巻軸ユニットを連動して回転してホースを巻きつける一ハンドルを含むことを特徴とする、ホースリール装置。
【請求項２】
前記カバーは、内部に少なくとも一停止部を設置し、該軸部品には少なくとも一停止部受面を設置し、該停止部が該停止部受面に当たると、該軸部品が回転した時に同時に該カバーを回転させることを特徴とする、請求項１記載のホースリール装置。
【請求項３】
前記ホースリール装置は、更に二ホイールを含み、該ホイールの中心部位には設有一嵌合孔及び該嵌合孔に近い一連動孔を設置し、該カバーと該軸部品には、それぞれ一凸軸及び該凸軸に近い一凸部を設置し、その両凸軸は、それぞれ両嵌合孔に凸設し、両凸部はそれぞれ両連動孔に位置し、該カバーには更に一水受部を設置し、該水受部の第一端は該凸軸の端部に位置し、該水受部の第二端は該カバー外周辺縁に位置することを特徴とする、請求項１記載のホースリール装置。
【請求項４】
一種のホースリール装置と筐体の組立品において、
二側壁と一本体を含み、該本体の底部は二該側壁を結合する一筐体と、
一巻軸ユニットと一ハンドルを含み、該巻軸ユニットは自由に長さを調節し取り外し可能で二該側壁の間に設置し、該ハンドルは該巻軸ユニットに固定し、二該側壁内の一該巻軸ユニットと該ハンドルの間に位置する一ホースリール装置を含むことを特徴とする、ホースリール装置及び筐体との組立品。
【請求項５】
前記筐体は、更に一支持壁を含み、該支持壁は該本体底部に結合し、該支持壁とそのうちの一側壁で該巻軸ユニットを挟み、該支持壁と別一側壁の間に一置物板を設置し、該本体の両側にはそれぞれ一支持板を設置し、該支持板上にはそれぞれ一作業台面を置くことを特徴とする、請求項４記載のホースリール装置及び筐体との組立品。
【請求項６】
前記ホースリール装置は、更に二ホイールを含み、二該ホイールは該巻軸ユニットと二該側壁の間で結合することを特徴とする、請求項４記載のホースリール装置及び筐体との組立品。
【考案の詳細な説明】
【技術分野】
【０００１】
本考案は、ホースリール装置及び筐体との組立品に関するものである。
【背景技術】
【０００２】
従来のホースリール装置及び筐体との組立品には、一種のホースリールの移動式組立品がある（例えば特許文献１参照）。それは、両壁面の間に設置したローラーを含み、水まきホースに使用する。そのうち、一面は一ハンドルが壁面に露出してハンドルとローラーが連接し、ハンドルを回転させてローラーとホースリールを連動させる。
【先行技術文献】
【特許文献】
【０００３】
【特許文献１】米国特許第６３３８３６０号公報
【考案の概要】
【考案が解決しようとする課題】
【０００４】
解決しようとする問題点として、米国特許のホースリールの設計は、そのうちの壁面に設置されたローラーを外すことが出来ない。言い換えると、ハンドルは、そのうちの一壁面に特定して露出させる。この種の設計には欠点があり、それは、ハンドルのない壁面だけに設置することができ、使用者の使用方法に制限があり、使用者が自分で設置方式を決めることができない点である。
【０００５】
そこで、本考案の主な目的は、上述の技術上の欠点を改善し、一種の両壁面どちらの壁でも設置することができるホースリール装置及び筐体との組立品を提供することにある。
【０００６】
また、本考案の別の目的は設置位置を簡単に変更できる一種のホースリール装置と筐体の組立品を提供することにある。
【０００７】
さらに、本考案の別の目的は筐体を金型にすることによって、設置を容易にして且つ生産コストを下げることにある。
【課題を解決するための手段】
【０００８】
本考案は、一筐体及び一ホースリール装置を含む。該筐体は二側壁と一本体を含み、該本体の底部は二該側壁を結合する。更に一ホースリール装置は、一巻軸ユニットと一ハンドルを含み、該巻軸ユニットは長さを自在に変更して外す形態で二該側壁の間に設置する。該ハンドルは該巻軸ユニットに固定し、二該側壁のうちの一該巻軸ユニットと該ハンドルの間に位置することを最も主要な特徴とする。
【考案の効果】
【０００９】
本考案のホースリール装置及び筐体との組立品は、下述の利点がある。
１.本考案は、両壁面のどちらの壁でもホースリール装置及び筐体との組立品を設置することができる。
２.本考案は、設置位置を簡単に変更することができるホースリール装置と筐体の組立品である。
３.本考案は、筐体を金型化するため、設置が容易で、生産コストを下げることができる。
【図面の簡単な説明】
【００１０】
【図１】本考案の第一設置位置の立体外観図である。
【図２】本考案第一設置位置の立体分解図である。
【図３】本考案の第一設置位置の剖面指示図である。
【図４】本考案の作業台面が本体を封鎖した指示図である。
【図５】本考案の第二設置位置の立体外観図である。
【図６】本考案の第二設置位置の指示図である。
【図７】本考案を壁の角地に設置した指示図である。
【考案を実施するための形態】
【００１１】
図１は、本考案のホースリール装置及び筐体との組立品の第一設置位置の立体外観図である。本考案のホースリール装置及び筐体との組立品は、一筐体１と一ホースリール装置２を含み、該筐体１は本実施例内では水槽を設置し、並びに物品を置く場所を提供する。該ホースリール装置２は回転式で該筐体１に結合し、ホースを該ホースリール装置２に巻いて収納する。
【００１２】
図２と図３は、本考案のホースリール装置及び筐体との組立品の第一設置位置の立体分解図と指示図である。該筐体１は一底台１０、二側壁２０、一支持壁３０、一置物板４０、一本体５０と一連接部品６０を含む。該筐体１のすべての部品は金型で製造するので、コストを下げ、互換可能で、設置がしやすい。
【００１３】
該底台１０は、第一面１０１と第二面１０２を含む。該底台１０第一面１０１の四個の角には、それぞれ一脚台１１を結合し、該筐体１を地面で支えるのに用いる。該脚台１１はまた車輪を設置してもよく、移動しやすくなる。該底台１０第二面１０２は物品を置く場所を提供し、該底台１０両端の周辺縁には、それぞれ複数個の結合溝１２を設置する。
【００１４】
二該側壁２０は、第一面２０１と第二面２０２を含む。該側壁２０第一面２０１の外面は平らな表面を形成し、該側壁２０第二面２０２には複数の凸筋２１が成形される。該側壁２０には二個の穿孔２２が穿設され、該二個の穿孔２２は同じ横方向位置で異なる縦方向に設置し、二該側壁２０には合わせて四個の穿孔２２が穿設される。二該側壁２０は更に複数の蓋体２３を含み、該蓋体２３は該穿孔２２を閉じることが選択できる。二該側壁２０の最上面には複数の結合孔２４が設置され、二該側壁２０の凸筋２１は該底台１０の結合槽１２に結合され、二該側壁２０と該底台１０をひとつに結合し、該側壁２０の最上部に近い箇所には複数の固定部２５を設置する。
【００１５】
該支持壁３０の両面には複数の凸筋３１が設置され、該支持壁３０には一穿孔３２が穿設され、両面を貫通する。該支持壁３０最上面には複数の結合孔３３が成形される。
【００１６】
該置物板４０は物品を置く場所として提供され、該置物板４０両端の周辺縁には複数の結合溝４１が設置され、該結合溝４１が該側壁２０の凸筋２１と該支持壁３０の凸筋３１を結合し、更に該置物板４０を該側壁２０と該支持壁３０の間に固定する。
【００１７】
該本体５０は、本実施例では貯水槽として、貯水して水を供給する機能を備える。該本体５０底部は二該側壁２０と該支持壁３０を結合し、該本体５０には一蛇口５１を設置する。該本体５０の両側にはそれぞれ一支持板５２を設置し、該支持板５２上には、それぞれ一作業台面５３を置く。該支持板５２と該作業台面５３はどちらも可動式で設置、取り外しが容易である。該両作業台面５３は相互に反する方向に開き、図４に示すとおり、同じ方向に動かすと該本体５０を閉じて収納する。
【００１８】
該連接部品６０の両端には、それぞれ一結合溝６１を設置し、該結合溝６１は二該側壁２０の凸筋２１で結合する。該結合溝６１の付近には更に複数の結合部６２が設置され、該結合部６２は二該側壁２０の固定部２５で結合する。
【００１９】
該ホースリール装置２は、一巻軸ユニット７０、二ホイール８０と一ハンドル９０を含む。該ホースリール装置２は、該筐体１に設置し、且つ該ホースリール装置２は使用者が二該側壁２０のうちのどの位置に設置するか選択できる。
【００２０】
該巻軸ユニット７０ の両端は、それぞれ一カバー７１と一軸部品７２であり、該カバー７１は該軸部品７２に被せ、該軸部品７２は該カバー７１内で横方向に移動するもので、該巻軸ユニット７０は自在の長さに変更できる。該カバー７１内には相対して二箇所停止部７１１が設置され、該軸部品７２にも相対して二箇所の停止部受面７２１が成形される。該停止部７１１が該停止部受面７２１に当たると、該軸部品７２が回転した時該カバー７１を動かして同時に回転する。該カバー７１は、該軸部品７２と反対の一端に一凸軸７１２と両凸部７１３を設置し、該凸軸７１２は該両凸部７１３の間に位置する。該カバー７１には更に一水受部７１４を設置し、該水受部７１４の第一端は該凸軸７１２の端部に位置し、該水受部７１４第二端は該カバー７１外周辺縁に位置する。該軸部品７２は該カバー７１と反対の一端にも一凸軸７２２と両凸部７２３を設置し、該凸軸７２２は該両凸部７２３の間に位置し、該軸部品７２の凸軸７２２の端部には一結合孔７２４を設置し、ホースが該水受部７１４に結合され、ホースを該カバー７１外周辺縁に巻きつける。
【００２１】
二該ホイール８０は、該巻軸ユニット７０を挟み、二該ホイール８０の中心部位には一嵌合孔８１と両連動孔８２を設置し、該嵌合孔８１は該両連動孔８２の間に位置する。該カバー７１と該軸部品７２の凸軸７１２、７２２は、それぞれ二該ホイール８０の嵌合孔８１に差し込み、且つ該凸部７１３、７２３該連動孔８２で固定される。該巻軸ユニット７０と二該ホイール８０は、該支持壁３０とそのうちの一側壁２０の間に位置し、該カバー７１の凸軸７１２は該支持壁３０の穿孔３２で固定され、該軸部品７２の凸軸７２２は該側壁２０の穿孔２２で固定される。
【００２２】
該ハンドル９０は、該巻軸ユニット７０両端のうちの一端に固定し、該ハンドル９０は一嵌入部９１と一持ち手９２を含む。該嵌入部９１は一固定部品９１１を設置し、該嵌入部９１該軸部品７２の凸軸７２２に嵌入し、該固定部品９１１は該嵌入部９１と該軸部品７２をひとつに結合し、該固定部品９１１は該嵌入部９１に差し込んで該結合孔７２４で固定する。
【００２３】
図５と図６は、本考案のホースリール装置及び筐体との組立品第二設置位置の立体外観図と指示図である。本考案のホースリール装置及び筐体との組立品の筐体１は取り付け及び取り外しがしやすい長所を備え、使用者はホースリール装置２をそのうちの一側壁２０から取外し、ホースリール装置２を別一側壁２０に簡単に設置できる。二側壁２０は同じ構造で実施されるため、二箇所の側壁２０はどちらか支持壁３０に合わせて該ホースリール装置２を設置する。
【００２４】
図７は、本考案のホースリール装置及び筐体との組立品を壁の角地に設置した指示図である。本考案のホースリール装置２は、使用者の必要に応じてどちらかの一側壁２０に設置し、該筐体１の本体５０の支持板５２と作業台面５３は簡単に取り外せる。本考案のホースリール装置及び筐体との組立品の二側壁はどちらの壁に合わせてもよく、壁の角地に設置できるホースリール装置及び筐体との組立品を提供する。
【符号の説明】
【００２５】
１          筐体装置
１０        底台
１０１      第一面
１０２      第二面
１１        脚台
１２        結合溝
２          ホースリール装置
２０        側壁
２０１      第一面
２０２      第二面
２１        凸筋
２２        穿孔
２３        蓋体
２４        結合孔
２５        固定部
３０        支持壁
３１        凸筋
３２        穿孔
３３        結合孔
４０        置物板
４１        結合溝
５０        本体
５１        蛇口
５２        支持板
５３        作業台面
６０        連接部品
６１        結合溝
６２        結合部
７０        巻軸ユニット
７１        カバー
７１１      停止部
７１２      凸軸
７１３      凸部
７１４      水受部
７２        軸部品
７２１      停止部受面
７２２      凸軸
７２３      凸部
７２４      結合孔
８０        ホイール
８１        嵌合孔
８２        連動孔
９０        ハンドル
９１        嵌入部
９１１      固定部品
９２        持ち手
【図１】
0003151226.tif 000003
【図２】
0003151226.tif 000004
【図３】
0003151226.tif 000005
【図４】
0003151226.tif 000006
【図５】
0003151226.tif 000007
【図６】
0003151226.tif 000008
【図７】
0003151226.tif 000009
【手続補正書】
【提出日】平成21年4月2日(2009.4.2)
【手続補正１】
【補正対象書類名】実用新案登録請求の範囲
【補正対象項目名】全文
【補正方法】変更
【補正の内容】
【実用新案登録請求の範囲】
【請求項１】
ホースリール装置と筐体の組立品において、
二側壁と一本体を含み、該本体の底部は二該側壁を結合する一筐体と、
一巻軸ユニットと一ハンドルを含み、該巻軸ユニットは自由に長さを調節し取り外し可能で二該側壁の間に設置し、該ハンドルは該巻軸ユニットに固定し、二該側壁内の一該巻軸ユニットと該ハンドルの間に位置する一ホースリール装置を含むことを特徴とする、ホースリール装置及び筐体との組立品。
【請求項２】
前記筐体は、更に一支持壁を含み、該支持壁は該本体底部に結合し、該支持壁とそのうちの一側壁で該巻軸ユニットを挟み、該支持壁と別一側壁の間に一置物板を設置し、該本体の両側にはそれぞれ一支持板を設置し、該支持板上にはそれぞれ一作業台面を置くことを特徴とする、請求項１記載のホースリール装置及び筐体との組立品。
【請求項３】
前記ホースリール装置は、更に二ホイールを含み、二該ホイールは該巻軸ユニットと二該側壁の間で結合することを特徴とする、請求項１記載のホースリール装置及び筐体との組立品。
【請求項４】
前記ホースリール装置は、両端それぞれが一カバーと一軸部品で、該カバーは該軸部品に被せ、該軸部品は該カバー内で横向きに移動し、ホースはカバーの外周辺縁に巻きつける一巻軸ユニットと、該巻軸ユニットの両端のうちの一端部に固定し、該ハンドルを回転すると該巻軸ユニットを連動して回転してホースを巻きつける一ハンドルを含むことを特徴とする、請求項１記載のホースリール装置及び筐体との組立品。
【請求項５】
前記カバーには、内部に少なくとも一停止部を設置し、該軸部品には少なくとも一停止部受面を設置し、該停止部が該停止部受面に当たると、該軸部品が回転した時に同時に該カバーを回転させることを特徴とする、請求項４記載のホースリール装置及び筐体との組立品。
【請求項６】
前記ホースリール装置は、更に二ホイールを含み、該ホイールの中心部位には一嵌合孔及び該嵌合孔に近い一連動孔を設置し、該カバーと該軸部品には、それぞれ一凸軸及び該凸軸に近い一凸部を設置し、その両凸軸は、それぞれ両嵌合孔に凸設し、両凸部はそれぞれ両連動孔に位置し、該カバーには更に一水受部を設置し、該水受部の第一端は該凸軸の端部に位置し、該水受部の第二端は該カバー外周辺縁に位置することを特徴とする、請求項４記載のホースリール装置及び筐体との組立品。